(57)【要約】【課題】流体通孔からの異物の進入を確実に防止する流量制御装置を提供する。【解決手段】ハウジング１１の周壁１６の外周側に環状に装着されるフィルタ１４は、流体通孔２１，２２，２３を覆い流体通孔への異物の進入を防止する濾材５０、周方向に延び濾材５０の周縁５１を保持する保持部５２、保持部５２の周方向に延びる二つの外縁部６０，６１間の幅よりも狭幅で周方向に延び保持部５２の周方向の両端部間を接続する接続部５４を有する。フィルタ１４は、周壁１６との間のクリアランス１９に応じ径方向両側に移動可能である。周壁１６のうち流体通孔２１，２２，２３を囲む部分３４，３５，３３ａ，３３ｂは第一シールを形成し、保持部５２のうち濾材５０を囲む部分６０，６１，６２，６３は第二シールを形成する。第一シール及び第二シールはフィルタ１４の移動範囲内で互いに摺接し、異物を通過不能に相互間をシールする。【選択図】　　図１
2004011742.tif 000002
【特許請求の範囲】
【請求項１】
複数の流体通孔が筒状の周壁を貫通するハウジングと、
前記ハウジングに収容され、前記流体通孔間を流通する流体の流量を制御する弁部材と、
前記周壁の外周側に環状に装着されるフィルタであって、前記流体通孔を覆い前記流体通孔への異物の進入を防止する濾材、周方向に延び前記濾材の周縁を保持する保持部、並びに前記保持部の周方向に延びる二つの外縁部間の幅よりも狭幅で周方向に延び前記保持部の周方向の両端部間を接続する接続部を有するフィルタと、
を備え、
前記フィルタは、前記周壁との間のクリアランスに応じ径方向両側に移動可能であり、
前記周壁のうち前記流体通孔を囲む部分で第一シールが形成され、前記保持部のうち前記濾材を囲む部分で第二シールが形成され、前記フィルタの移動範囲内に限り前記第一シールと前記第二シールとが互いに摺接し前記異物を通過不能に相互間をシールすることを特徴とする流量制御装置。
【請求項２】
前記第一シールと前記第二シールとの間には、前記濾材で前記流体通孔への進入を防止可能な前記異物の大きさよりも小さなクリアランスが許容されることを特徴とする請求項１に記載の流量制御装置。
【請求項３】
前記ハウジングは案内部を前記周壁に有し、
前記案内部は、前記保持部の周方向の中間部分と前記接続部の周方向の中間部分とを通り前記フィルタの径方向に延びる軸線に沿って、前記フィルタを案内することを特徴とする請求項１又は２に記載の流量制御装置。
【請求項４】
前記ハウジングは、前記保持部を嵌合する嵌合溝を前記周壁に有し、
前記第二シールは、前記保持部の前記二つの外縁部と、前記保持部の内周面から突出し前記保持部の幅方向に平行に延びる二つの突条部とから形成され、
前記第一シールは、前記保持部の前記二つの外縁部にそれぞれ摺接可能な前記嵌合溝の二つの側壁部と、前記嵌合溝の底壁部に互いに平行に設けられ前記二つの突条部にそれぞれ摺接可能な二つの前記案内部とから形成されることを特徴とする請求項３に記載の流量制御装置。
【請求項５】
前記ハウジング及び前記フィルタは、前記流体通孔に接続される流路を備えた部材の挿入孔内に挿入され、
前記フィルタの前記移動範囲は、前記挿入孔及び前記周壁への前記保持部の当接により制限されることを特徴とする請求項３又は４に記載の流量制御装置。
【請求項６】
前記接続部は、周方向の中間部分で二つの分割部に分割可能であり、
いずれか一方の前記分割部に設けられる第一突起と、いずれか他方の前記分割部に設けられる第一凹部とは、前記フィルタの周方向に離脱不能に係合し、
いずれか一方の前記分割部に設けられる第二突起と、いずれか他方の前記分割部に設けられる第二凹部とは、前記フィルタの径方向に離脱不能に係合することを特徴とする請求項１〜５のいずれか一項に記載の流量制御装置。
【請求項７】
複数の流体通孔が筒状の周壁を貫通するハウジングと、
前記ハウジングに収容され、前記流体通孔間を流通する流体の流量を制御する弁部材と、
前記周壁の外周側に環状に装着されるフィルタであって、前記流体通孔を覆い前記流体通孔への異物の進入を防止する濾材、周方向に延び前記濾材の周縁を保持する保持部、並びに前記保持部の周方向に延びる二つの外縁部間の幅よりも狭幅で周方向に延び前記保持部の周方向の両端部間を接続する接続部を有するフィルタと、
を備え、
前記周壁のうち前記流体通孔を囲む部分と前記保持部のうち前記濾材を囲む部分とは互いに当接することで前記異物を通過不能に相互間をシールし、
前記接続部は、周方向の中間部分で二つの分割部に分割可能であり、
いずれか一方の前記分割部に設けられる第一突起と、いずれか他方の前記分割部に設けられる第一凹部とは、前記フィルタの周方向に離脱不能に係合し、
いずれか一方の前記分割部に設けられる第二突起と、いずれか他方の前記分割部に設けられる第二凹部とは、前記フィルタの径方向に離脱不能に係合することを特徴とする流量制御装置。
【請求項８】
前記ハウジングは、前記第一突起及び前記第二突起と、それぞれ対応する前記第一凹部及び前記第二凹部とを前記フィルタの幅方向両側に離脱不能に前記接続部を嵌合する嵌合溝を前記周壁に有することを特徴とする請求項６又は７に記載の流量制御装置。
【発明の詳細な説明】
【０００１】
【発明の属する技術分野】
本発明は、流量制御装置に関する。
【０００２】
【従来の技術】
従来、弁部材を収容するハウジングの周壁にポートとしての複数の流体通孔を有し、弁部材の往復移動により流体通孔間を流通する流体の流量を制御する流量制御装置が知られている。この流量制御装置では、各流体通孔からハウジング内部に流体中の異物が進入することを防止するためのフィルタが設けられる。
【０００３】
特開２００１−１７３８０６号公報に開示の流量制御装置（流体制御弁）では、ハウジングの周壁の外周側に環状に嵌合されるフィルタが用いられている。そのフィルタは、流体通孔を覆い流体通孔への異物の進入を防止する濾材と、周方向に延び濾材の周縁を保持する保持部（環状部）と、保持部の周方向に延びる二つの外縁部よりも狭幅で周方向に延び保持部の周方向の両端部間を接続する接続部（取付部）とから構成されている。このように接続部が保持部よりも狭幅となっているので、接続部が嵌合される周壁の溝を保持部が嵌合される周壁の溝（凹部）よりも小さくできる。これにより、一フィルタの接続部嵌合用の溝と別のフィルタの保持部嵌合用の溝とを各々の幅方向で重なるように配置することで、ハウジングの軸方向長さを短くしている。
【０００４】
【発明が解決しようとする課題】
特開２００１−１７３８０６号公報に開示の装置では、製造公差等によりフィルタと周壁との間に径方向のクリアランスが形成される。そのため、フィルタの濾材に流体圧が作用すると、その流体圧によりフィルタが径方向に移動する。移動したフィルタの保持部の外周縁部と周壁の溝との間には、フィルタの対象とする異物よりも大きなクリアランスが生じることがある。その場合、フィルタによる異物の進入防止効果が低下してしまう。また、フィルタの移動によって接続部が周壁に押圧されテンションをかけられると、狭幅の接続部はそのテンションにより破損し易い。
【０００５】
本発明の目的は、流体通孔からの異物の進入を確実に防止する流量制御装置を提供することにある。
また本発明の目的は、フィルタの破損を防止する流量制御装置を提供することにある。
【０００６】
【課題を解決するための手段】
本発明の請求項１に記載の流量制御装置によると、ハウジングの周壁のうち流体通孔を囲む部分で第一シールが形成され、フィルタの保持部のうち濾材を囲む部分で第二シールが形成される。それら第一シールと第二シールとは、フィルタの径方向両側への移動範囲内に限り互いに摺接し、異物を通過不能に相互間をシールする。したがって、フィルタが周壁との間のクリアランスに応じ径方向に移動しても、上記各シールと濾材とにより流体通孔への異物の進入を確実に防止することができる。
【０００７】
本発明の請求項２に記載の流量制御装置によると、第一シールと第二シールとの間には、濾材で流体通孔への進入を防止可能な異物の大きさよりも小さなクリアランスが許容されるので、上記各シールに対する寸法精度を下げてコストの低減化を図ることができる。
【０００８】
本発明の請求項３に記載の流量制御装置によると、ハウジングは案内部を周壁に有する。その案内部は、保持部の周方向の中間部分と接続部の周方向の中間部分とを通りフィルタの径方向に延びる軸線に沿って、フィルタを案内する。このような案内部によりフィルタの移動方向を制限して、第一シール及び第二シールの構成を簡素化することができる。
【０００９】
本発明の請求項４に記載の流量制御装置によると、第二シールは、保持部の周方向に延びる二つの外縁部と、保持部の内周面から突出し保持部の幅方向に平行に延びる二つの突条部とから形成される。またハウジングは、保持部を嵌合する嵌合溝を周壁に有し、第一シールは、保持部の周方向に延びる二つの外縁部にそれぞれ摺接可能な嵌合溝の二つの側壁部と、嵌合溝の底壁部に互いに平行に設けられ保持部の二つの突条部にそれぞれ摺接可能な二つの案内部とから形成される。これにより、上記各シールの構成をより簡素にしつつ、それらシールによる異物の進入防止効果を充分に得ることができる。
【００１０】
本発明の請求項５に記載の流量制御装置によると、ハウジング及びフィルタは、流体通孔に接続される流路を備えた部材の挿入孔内に挿入される。そしてフィルタの移動範囲は、挿入孔及び周壁への保持部の当接により制限される。これにより、フィルタが案内軸線に沿って移動するとき、接続部が周壁に押圧されることを抑制できる。したがって、狭幅に形成された接続部の破損を防止できる。
【００１１】
本発明の請求項６、７及び８に記載の流量制御装置によると、フィルタの接続部は、周方向の中間部分で二つの分割部に分割可能である。いずれか一方の分割部に設けられる第一突起と、いずれか他方の分割部に設けられる第一凹部とは、フィルタの周方向に離脱不能に係合する。また、いずれか一方の分割部に設けられる第二突起と、いずれか他方の分割部に設けられる第二凹部とは、フィルタの径方向に離脱不能に係合する。したがって、接続部を分割した状態でフィルタを周壁の外周側にセットすると共に、互いに対応する突起と凹部とを係合することで、フィルタを容易にハウジングに装着することができる。しかもフィルタの装着後には、互いに対応する突起と凹部との係合により二つの分割部が周方向と径方向とに離脱不能となる。これによりフィルタはハウジングから外れ難くなるので、周壁と保持部との間でのシール機能により流体通孔への異物進入防止効果を確実に得ることができる。
尚、本発明の請求項６、７及び８に記載の流量制御装置において、第一突起と第二突起が設けられる分割部は同一であっても相異していてもよい。
【００１２】
【発明の実施の形態】
以下、本発明の実施の形態を示す一実施例を図面に基づいて説明する。
本発明の一実施例による流量制御装置を図１に示す。流量制御装置１０は、エンジンに組み付けられる。エンジンには、その吸気弁あるいは排気弁のバルブタイミングを油圧制御により調整するバルブタイミング調整装置が組み付けられ、流量制御装置１０は、かかるバルブタイミング調整装置に供給する作動油量を調整する。流量制御装置１０は、ハウジングとしてのスリーブ１１、弁部材としてのスプール１２、電磁駆動装置１３、フィルタ１４等を備えている。
【００１３】
図１〜図３及び図５（Ａ）に示すスリーブ１１は、アルミニウムのダイカスト成形により概ね円筒状に形成されている。スリーブ１１は図３に示すように、エンジンの組付部材２に設けられた挿入孔４内にフィルタ１４と共に挿入される。スリーブ１１には、周壁１６を貫通する流体通孔２０，２１，２２，２３，２４が形成されている。流体通孔２０，２１，２２，２３，２４はスリーブ１１の一端部１１ａ側から他端部１１ｂ側に向かって順に配設されている。流体通孔２１及び２３と流体通孔２２とは、スリーブ１１の軸方向で互いに重複していない。流体通孔２１及び２３はそれぞれ、組付部材２に設けられた流路５，７を介してバルブタイミング調整装置の進角油圧室及び遅角油圧室に接続されている。流体通孔２２は、組付部材２に設けられた流路６を介して油圧ポンプに接続されている。流体通孔２０及び２４はそれぞれ、組付部材２に設けられた流路（図示しない）を介して油圧ポンプの入力側のタンクに接続されている。
【００１４】
スリーブ１１の周壁１６内には、スプール１２が軸方向に往復移動可能に収容されている。スリーブ１１の一端部１１ａ側に電磁駆動装置１３が固定されている。電磁駆動装置１３はコネクタ１８からの通電によりスプール１２を往復駆動する。その駆動位置に応じスプール１２は、各流体通孔間を流通する作動油の流量を制御して、例えば流体通孔２１，２３からバルブタイミング調整装置に供給する作動油量を調整する。
【００１５】
周壁１６の軸方向で流体通孔２１，２２，２３に対応する位置には、外周面１６ａに開口する環状溝３０が形成されている。環状溝３０は、周方向で連なる拡幅溝３１及び狭幅溝３２から構成されている。流体通孔２１及び２３に対応する拡幅溝３１は流体通孔２２に対応する狭幅溝３２に軸方向で重複し、流体通孔２１及び２３に対応する挟幅溝３２は流体通孔２２に対応する拡幅溝３１に軸方向で重複している。
【００１６】
拡幅溝３１は、底壁部３３と、その底壁部３３にほぼ垂直な二つの側壁部３４，３５とで形成されている。拡幅溝３１は所定幅で周方向に円弧状に延び、底壁部３３に開口する流体通孔２１，２２又は２３を側壁部３４，３５の間に挟んでいる。側壁部３４，３５は互いに平行に対向している。底壁部３３のうち、対応する流体通孔２１，２２，２３を挟む周方向の両端部分３３ａ，３３ｂは互いに平行な平坦面形状に形成され、所謂二面幅を構成している。両端部分３３ａ，３３ｂはフィルタ１４を案内する案内部として機能するものであり、以下、案内部３３ａ，３３ｂという。各案内部３３ａ，３３ｂは側壁部３４，３５間を幅方向に延伸し、側壁部３４，３５に接続されている。このように閉じたループ状に流体通孔２１，２２，２３を囲む案内部３３ａ，３３ｂ及び側壁部３４，３５が第一シールを構成している。底壁部３３のうち対応する流体通孔２１，２２、２３と案内部３３ａ，３３ｂとの間には、フィルタ１４に当接可能な当接部３３ｃ，３３ｄがそれぞれ設けられている。
【００１７】
狭幅溝３１は、底壁部３７と、その底壁部３７にほぼ垂直な二つの側壁部３９，４０とで形成されている。狭幅溝３２は拡幅溝３１よりも狭い幅で周方向に円弧状に延び、拡幅溝３１の両端部に接続されている。狭幅溝３２のうち周方向の中間部分３６は、拡幅溝３１の幅を超えない範囲内で他の部分よりも拡幅されている。
【００１８】
図１及び図３〜図５に示すように、フィルタ１４は円環状に形成され、スリーブ周壁１６の各環状溝３０に嵌合装着されている。フィルタ１４は、対応する流体通孔２１，２２，２３への異物の進入を防止する濾材５０と、濾材５０の周縁５１を保持する保持部５２と、保持部５２に周方向で連なる接続部５４とから構成されている。
【００１９】
濾材５０は金属薄板を多数の目が貫通するメッシュ状に形成され、周壁１６に沿う円弧状に湾曲している。濾材５０の目の大きさは、流体通孔２１，２２，２３への進入を防止する異物（以下、進入防止異物という）の大きさに応じて適宜設定され、例えば２００μｍ程度に設定される。濾材５０の表面積は、対応する流体通孔２１，２２，２３の開口面積よりも一まわり大きくなるように設定される。
【００２０】
保持部５２は、濾材５０のインサート成形により樹脂で形成されている。保持部５２は濾材５０の周縁５１全体を縁取るようにして、周方向に円弧状に延びている。保持部５２の外縁部６０，６１は濾材５０を挟んで互いに平行に周方向に延伸し、保持部５２の中心孔５６の全体に濾材５０が露出している。本実施例において保持部５２の外縁部６０，６１間の幅（以下、単に保持部５２の幅ともいう）は拡幅溝３１の底壁部３３の幅よりも僅かに小さくされている。具体的に保持部５２と拡幅溝３１との幅寸法差は、濾材５０の目の大きさすなわち進入防止異物の最小サイズを超えないように設定される。保持部５２は、環状溝３０のうち拡幅溝３１に嵌合する。拡幅溝３１は、「保持部を嵌合する嵌合溝」に相当する。保持部５２の拡幅溝３１への嵌合状態で濾材５０は対応する流体通孔２１，２２，２３の開口を覆い、作動油中の異物を流体通孔への進入前に除去する。
【００２１】
保持部５２には、濾材５０を挟む周方向の両端部に突条部６２，６３が設けられている。突条部６２，６３は、保持部５２の内周面５２ａから突出し互いに平行に対向する平坦面で構成されている。その所謂二面幅形態の突条部６２，６３は、保持部５２及び接続部５４の各周方向中央の中間部分５７，６９を通りフィルタ１４の径方向に延びる軸線Ｌ（図３参照）に対し、平行に突出している。また、突条部６２，６３は外縁部６０，６１間を幅方向に延伸し、外縁部６０，６１に接続されている。このように閉じたループ状に濾材５０を囲む突条部６２，６３及び外縁部６０，６１が第二シールを構成している。本実施例において突条部６２，６３間の間隔は、拡幅溝３１の案内部３３ａ，３３ｂ間の間隔よりも僅かに大きくされている。具体的に突条部６２，６３間と案内部３３ａ，３３ｂ間との間隔差は、濾材５０の目の大きさ（進入防止異物の最小サイズ）を超えないように設定される。
【００２２】
拡幅溝３１への保持部５２の嵌合状態で第二シールの外縁部６０，６１は、保持部５２と拡幅溝３１との幅寸法差に応じたクリアランスを介して第一シールの側壁部３４，３５に実質的に当接する。また、拡幅溝３１への保持部５２の嵌合状態で第二シールの突条部６２，６３は第一シールの案内部３３ａ，３３ｂに対し、突条部６２，６３間と案内部３３ａ，３３ｂ間との間隔差に応じたクリアランスを介して実質的に当接する。要するに、周壁１６の流体通孔２１，２２，２３を囲む部分からなる第一シールと、保持部５２の濾材５０を囲む部分からなる第二シールとは互いに当接することで、進入防止異物を通過不能に相互間をシールする。
【００２３】
接続部５４は保持部５２と一体に樹脂で形成されている。接続部５４は保持部５２の外縁部６０，６１間の幅よりも狭幅で周方向に円弧状に延び、保持部５２の周方向の両端部に接続されている。接続部５４は、環状溝３０のうち狭幅溝３２に嵌合する。狭幅溝３２は、「接続部を嵌合する嵌合溝」に相当する。
【００２４】
接続部５４のうち周方向の中間部分６９は、保持部５２の幅を超えない範囲内で他の部分よりも拡幅されている。接続部５４はその中間部分６９で二つの分割部７０，７１に分割可能に形成されている。
具体的に、中間部分６９の一部を構成する第一分割部７０の端部７２には、第一突起７３及び第二突起７４が設けられている。第一突起７３は、端部７２から接続部５４の幅方向一方側（図４（Ｃ）及び図５（Ａ）の上側）に突出している。第二突起７４は、第一突起７３の側縁部７３ａから接続部５４の周方向に第二分割部７１側に向かって突出している。
【００２５】
中間部分６９の残部を構成する第二分割部７１の端部７６には、第一凹部７７及び第二凹部７８が設けられている。第一凹部７７は第一突起７３を補完する形状に端部７６に形成され、第一突起７３の突出方向に凹んでいる。第二凹部７８は第二突起７４を補完する形状に第一凹部７７の側縁部７７ａに形成され、第二突起７４の突出方向に凹んでいる。第二凹部７８は接続部５４の周方向に第一分割部７０側に向かって開口し、接続部５４の幅方向に延伸している。すなわち第二凹部７８は、接続部５４の外周面５４ｂには開口していない。
【００２６】
図４（Ａ），（Ｃ）に示すように第一突起７３は第一凹部７７内に嵌入され、第一突起７３の両側縁部７３ａ，７３ｂはそれぞれ第一凹部７７の両側縁部７７ａ，７７ｂに当接する。これにより第一突起７３と第一凹部７７とは、接続部５４の周方向には離脱不能に且つ幅方向には離脱可能に係合する。また、第二突起７４は第二凹部７８に嵌入され、第二突起７４の両側縁部はそれぞれ第二凹部７８の両側縁部に当接する。これにより第二突起７４と第二凹部７８とは、接続部５４の径方向には離脱不能に且つ幅方向には離脱可能に係合する。本実施例ではさらに図５（Ａ）に示すように、接続部５４の中間部分６９が狭幅溝３２の中間部分３６に嵌合され、中間部分６９を構成する各分割部端部７２，７６が狭幅溝３２の側壁部４０，３９にそれぞれ当接する。これにより各突起７３，７４が、係合する凹部７７，７８から接続部５４の幅方向に離脱不能になっている。
【００２７】
流量制御装置１０では、フィルタ１４の内径が環状溝３０の底壁部（３３，３７）の径よりも大きく設定され、フィルタ１４と周壁１６との間に径方向のクリアランス１９が形成されている。フィルタ１４は、このクリアランス１９に応じて径方向に移動可能である。また特に本実施例では、周壁１６の案内部３３ａ，３３ｂにフィルタ１４の突条部６２，６３が摺接することで、上記軸線Ｌ方向の両側（図３の矢印Ｘ，Ｙ）にフィルタ１４が案内される。スリーブ１１と共に組付部材２の挿入孔４内に挿入されたフィルタ１４は、保持部５２の径方向外側となる軸線Ｌ方向の一方側Ｘに移動すると、図３（Ａ）に示すように保持部５２の外周面５２ｂで挿入孔４の内周面４ａに当接し、移動を規制される。またフィルタ１４は、保持部５２の径方向内側となる軸線Ｌ方向の他方側Ｙに移動すると、図３（Ｂ）に示すように保持部５２の内周面５２ａで拡幅溝３１の当接部３３ｃ，３３ｄに当接し、移動を規制される。以上の移動規制によりフィルタ１４の移動範囲が制限されている。
【００２８】
さらに流量制御装置１０では、図３（Ｂ）に示すように、クリアランス１９の径方向間隔の総和Ｔがフィルタ１４の径方向の可動距離Ｓよりも大きく設定されている。これにより、フィルタ１４の移動範囲内において接続部５４の内周面５４ａが狭幅溝３２の底壁部３７の壁面から常時離間する。また図３に示すように、拡幅溝３１の深さ（すなわち側壁部３４，３５の高さ）Ｄが、フィルタ１４の可動距離Ｓよりも大きく、且つフィルタ１４の移動範囲内で保持部５２の外縁部６０，６１が側壁部３４，３５に摺接可能に設定されている。これにより、フィルタ１４の移動範囲内に限り外縁部６０，６１と側壁部３４，３５との間が異物を通過不能にシールされる。またさらに図３に示すように、案内部３３ａ，３３ｂの軸線Ｌ方向の長さＧが、フィルタ１４の可動距離Ｓよりも大きく、且つフィルタ１４の移動範囲内で突条部６２，６３が案内部３３ａ，３３ｂに摺接可能に設定されている。これにより、フィルタ１４の移動範囲内に限り突条部６２，６３と案内部３３ａ，３３ｂとの間が異物を通過不能にシールされる。
【００２９】
以上説明した流量制御装置１０において流体通孔２２に作動油が入力されると、その作動油の油圧を濾材５０に受けたフィルタ１４は図３（Ｂ）に示すように軸線Ｌに沿う上記Ｙ方向に変位する。このとき、第二シールの外縁部６０，６１及び突条部６２，６３が第一シールの側壁部３４，３５及び案内部３３ａ，３３ｂに確実に摺接するため、それらシール間のシール機能が維持される。また、流体通孔２１，２３から作動油が出力されるとき、その作動油の油圧を濾材５０に受けたフィルタ１４は図３（Ａ）に示すように直線Ｌに沿う上記Ｘ方向に変位する。このとき、第二シールの外縁部６０，６１及び突条部６２，６３が第一シールの側壁部３４，３５及び案内部３３ａ，３３ｂに確実に摺接するので、それらシール間のシール機能が維持される。このように流量制御装置１０によれば、第一及び第二シールのシール機能と濾材５０の異物除去機能とにより、流体通孔２１，２２，２３への異物の進入を確実に防止することができる。
【００３０】
また、図３に示すように流量制御装置１０では、流体通孔２２に作動油が入力される場合にも流体通孔２１，２３から作動油が出力される場合にも、対応するフィルタ１４の接続部５４がその移動位置によらず狭幅溝３２の底壁部３７の壁面から離れる。よって、接続部５４は周壁１６に押圧されないので、狭幅に形成されても破損し難い。
【００３１】
さらに流量制御装置１０では、第一シールと第二シールとが比較的簡素に構成され、それぞれダイカスト成形と樹脂成形とにより容易に形成できる。しかも、第一シールの各要素と第二シールの各要素との間には濾材５０の目の大きさを超えない限りにおいてクリアランスが許容されるので、各シールの成形精度を下げることができる。したがって流量制御装置１０によれば、製造コストを低減できる。
【００３２】
加えて流量制御装置１０では、フィルタ１４が周方向の一箇所で分離可能となっている。よって、例えば図５（Ｂ）に示すように分割したフィルタ１４を図５（Ａ）に示すように環状溝３０に嵌め込みつつ、突起７３，７４を対応する凹部７７，７８に係合することで、フィルタ１４をスリーブ１１に容易に装着できる。この装着状態で分割部７０，７１は、第一突起７３と第一凹部７７との係合により周方向に離脱不能となる。また分割部７０，７１は、第二突起７４と第二凹部７８との係合により径方向に離脱不能となる。さらに分割部７０，７１は、突起７３，７４及び凹部７７，７８を有する接続部５４の中間部分６９と狭幅溝３２の中間部分３６との嵌合により幅方向にも離脱不能となる。したがって、フィルタ１４に外力が作用しても分割部７０，７１は互いに離脱し難いので、フィルタ１４の装着状態が確実に保たれる。したがって流量制御装置１０によれば、上述した流体通孔２１，２２，２３への異物進入の防止効果を充分に発揮することができる。
【００３３】
以上説明した上記実施例では、周壁１６に設けた案内部３３ａ，３３ｂによりフィルタ１４の移動方向を限定することで第一シール及び第二シールの構成を簡素化していたが、そのような案内部を設けないようにしてもよい。
また、保持部５２の周方向に延びる二つの外縁部６０，６１間の幅について、上記実施例では周方向で一定にしていたが、接続部５４の幅よりも拡幅されていれば、周方向で変化していてもよい。
【００３４】
さらに上記実施例では、ハウジングたるスリーブ１１及びフィルタ１４が挿入される挿入孔４への保持部５２の当接と、スリーブ周壁１６への保持部５２の当接とによりフィルタ１４の移動範囲を制限していたが、流量制御装置１０外の部材２の挿入孔４に保持部５２を当接させる代わりに、流量制御装置１０自身に設けた部材に保持部５２を当接させてフィルタ１４の移動範囲を制限するようにしてもよい。
【００３５】
またさらに上記実施例では、突起７３，７４及び凹部７７，７８の設けられる接続部５４の中間部分６９を狭幅溝３２の中間部分３６に嵌合させることで、突起７３，７４と凹部７７，７８との接続部幅方向における離脱を簡素な構成により防止していた。これに対し、そのような幅方向における離脱防止構造を各分割部７０，７１の端部７２，７６に直に設けるようにしてもよい。
さらにまた分割部７０，７１を連結するために、上記実施例では二つの突起７３，７４と二つの凹部７７，７８による係合構造を採用していたが、分割部７０，７１を離脱不能に連結できるものであれば公知の連結構造を採用してもよい。
【図面の簡単な説明】
【図１】本発明の一実施例による流量制御装置を示す図であって、（Ａ）は正面図、（Ｂ）は（Ａ）におけるＢ１−Ｂ１断面図である。
【図２】図１に示すスリーブの側面図である。
【図３】本発明の一実施例による流量制御装置をエンジンの組付部材に組み付けた状態を示す断面図である。
【図４】図１に示すフィルタを示す図であって、（Ａ）は一部切り欠き平面図、（Ｂ）は（Ａ）におけるＢ４−Ｂ４矢視図、（Ｃ）は側面図である。
【図５】図１に示すフィルタを示す図であって、（Ａ）はスリーブに装着した状態を示し、（Ｂ）はスリーブから取り外した状態を示している。
【符号の説明】
２　組付部材
４　挿入孔
５，６，７　流路
１０　流量制御装置
１１　スリーブ（ハウジング）
１２　スプール（弁部材）
１３　電磁駆動装置
１４　フィルタ
１６　周壁
１９　クリアランス
２０，２１，２２，２３，２４　流体通孔
３０　環状溝
３１　拡幅溝（嵌合溝）
３２　狭幅溝（嵌合溝）
３３　底壁部
３３ａ，３３ｂ　案内部（第一シール）
３３ｃ，３３ｄ　当接部
３４，３５　側壁部（第一シール）
５０　濾材
５１　周縁
５２　保持部
５２ａ　内周面
５４　接続部
６０，６１　外縁部（第二シール）
６２，６３　突条部（第二シール）
６９　中間部分
７０　第一分割部
７１　第二分割部
７３　第一突起
７４　第二突起
７７　第一凹部
７８　第二凹部
【図１】
2004011742.tif 000003
【図２】
2004011742.tif 000004
【図３】
2004011742.tif 000005
【図４】
2004011742.tif 000006
【図５】
2004011742.tif 000007